(57)【特許請求の範囲】
【請求項１】
植栽した樹木の生長により根が絡むように土壌内に埋設される倒木防止具であって、
互いに平行に延びる３つ以上の支持部と、前記支持部に支持される環状の保持体とを備え、
前記保持体は、複数が前記支持部に沿って間隔をあけて固定されており、
前記保持体の内側に配置された環状またはスパイラル状の補助体を更に備える倒木防止具。
【請求項２】
前記支持部は、複数のＵ字状湾曲部材の両側部からなる請求項１に記載の倒木防止具。
【請求項３】
植栽した樹木の生長により根が絡むように土壌内に埋設される倒木防止具であって、
互いに平行に延びる３つ以上の支持部と、前記支持部に支持される環状の保持体とを備え、
前記保持体は、複数が前記支持部に沿って間隔をあけて固定されており、
複数の前記保持体の大きさが互いに相違する倒木防止具。
【請求項４】
前記支持部および前記保持体は、表面に凹凸を有する鉄筋からなる請求項１から３のいずれかに記載の倒木防止具。
【請求項５】
植栽した樹木の生長により根が絡むように土壌内に埋設される倒木防止具であって、
互いに平行に延びる３つ以上の支持部と、前記支持部に支持される環状の保持体とを備え、
前記保持体は、複数が前記支持部に沿って間隔をあけて固定されている倒木防止具を用いた倒木防止方法であって、
前記倒木防止具を杭部材により地面に固定した後に土壌内に埋設する埋設ステップと、
埋設された前記倒木防止具の近傍に樹木を植栽する植栽ステップとを備える倒木防止方法。
【発明の詳細な説明】
【技術分野】
【０００１】
本発明は、倒木防止具および倒木防止方法に関し、より詳しくは、植栽した樹木の生長により根が絡むように土壌内に埋設される倒木防止具、および、これを用いた倒木防止方法に関する。
【背景技術】
【０００２】
土壌内に埋設して樹木の根鉢を支持する樹木支持具が従来から知られている。例えば、特許文献１には、樹木の根鉢を埋設する埋設穴の底部に配置される台座と、根鉢に巻き掛けて台座に固定するワイヤとを備える樹木支持具が開示されている。
【先行技術文献】
【特許文献】
【０００３】
【特許文献１】特開２０００−２４５２７３号公報
【発明の概要】
【発明が解決しようとする課題】
【０００４】
ところが、従来の樹木支持具は、樹木を植栽した後に、周囲の土壌に向けて根が成長して拡がることにより、根鉢を締め付けていたワイヤに緩みが生じて樹木の支持が不十分になるおそれがあった。このため、樹木を植栽した地盤や土壌等によって十分な根付きが得られない場合に、倒木が生じ易くなるという問題があった。【０００５】
一方、津波・台風等の天災あるいは人災によって生じる宅地・農地等の被害を軽減するため、樹木が持つ防災機能の重要性が近年改めて認識されつつあり、樹木の根付きを向上させることが求められている。【０００６】
そこで、本発明は、植栽した樹木の倒木を確実に防止することができる倒木防止具および倒木防止方法の提供を目的とする。
【課題を解決するための手段】
【０００７】
本発明の前記目的は、植栽した樹木の生長により根が絡むように土壌内に埋設される倒木防止具であって、互いに平行に延びる３つ以上の支持部と、前記支持部に支持される環状の保持体とを備え、前記保持体は、複数が前記支持部に沿って間隔をあけて固定されており、前記保持体の内側に配置された環状またはスパイラル状の補助体を更に備える倒木防止具により達成される。
【０００８】
この倒木防止具において、前記支持部は、複数のＵ字状湾曲部材の両側部からなることが好ましい。【０００９】
あるいは、本発明の前記目的は、植栽した樹木の生長により根が絡むように土壌内に埋設される倒木防止具であって、互いに平行に延びる３つ以上の支持部と、前記支持部に支持される環状の保持体とを備え、前記保持体は、複数が前記支持部に沿って間隔をあけて固定されており、複数の前記保持体の大きさが互いに相違する倒木防止具により達成される。
【００１０】
また、本発明の前記目的は、植栽した樹木の生長により根が絡むように土壌内に埋設される倒木防止具であって、互いに平行に延びる３つ以上の支持部と、前記支持部に支持される環状の保持体とを備え、前記保持体は、複数が前記支持部に沿って間隔をあけて固定されている倒木防止具を用いた倒木防止方法であって、前記倒木防止具を杭部材により地面に固定した後に土壌内に埋設する埋設ステップと、埋設された前記倒木防止具の近傍に樹木を植栽する植栽ステップとを備える倒木防止方法により達成される。
【発明の効果】
【００１１】
本発明によれば、植栽した樹木の倒木を確実に防止することができる倒木防止具および倒木防止方法を提供することができる。
【図面の簡単な説明】
【００１２】
【図１】本発明の一実施形態に係る倒木防止具の側面図である。
【図２】図１に示す倒木防止具の平面図である。
【図３】本発明の一実施形態に係る倒木防止方法の概略工程図である。
【図４】図３に示す倒木防止方法により支持された樹木の模式図である。
【図５】本発明の更に他の実施形態に係る倒木防止具の側面図である。
【図６】図５に示す倒木防止具の側面図である。
【図７】本発明の更に他の実施形態に係る倒木防止具の側面図である。
【図８】本発明の他の実施形態に係る倒木防止方法を説明するための模式図である。
【図９】本発明の更に他の実施形態に係る倒木防止具の側面図である。
【図１０】本発明の他の実施形態に係る倒木防止方法を説明するための模式図である。
【図１１】本発明の他の実施形態に係る倒木防止方法を説明するための模式図である。
【図１２】本発明の他の実施形態に係る倒木防止方法を説明するための模式図である。
【発明を実施するための形態】
【００１３】
以下、本発明の実施の形態について、添付図面を参照して説明する。図１は、本発明の一実施形態に係る倒木防止具の側面図であり、図２は、図１に示す倒木防止具の平面図である。図１および図２に示すように、倒木防止具１は、４つの縦材２と、縦材２に支持される２つの保持体４とを備えており、全体として立方体状に形成されている。
【００１４】
縦材２は、金属や樹脂等からなる中実棒状または中空筒状の部材であり、本実施形態においては直棒状の鉄筋からなる。各縦材２は、互いに平行に延びるように平面視矩形状の各角部に配置されており、長手方向全体が保持体４を支持する支持部を構成する。縦材２の表面には、鉄筋のリブや節などのように凹凸を有することが好ましく、これによって、表面積を増加させて埋設時の土壌との密着力を高めることができる。
【００１５】
保持体４は、金属や樹脂等からなる環状の部材であり、本実施形態においては、各縦材２と直交する平面に沿って各縦材２を取り囲むように鉄筋を矩形枠状に折り曲げて形成され、両端のフック部４ａ，４ｂが縦材２に係止されている。保持体４の表面についても、縦材２と同様に凹凸が形成されていることが好ましい。
【００１６】
２つの保持体４，４は、縦材２に沿って間隔をあけて互いに平行に配置されており、それぞれ金属線等の結束具６により縦材２に固定されている。縦材２に対する保持体４の固定方法は特に限定されるものではなく、例えば、クランプによる挟持、金属パイプのかしめ、溶接等により行ってもよい。
【００１７】
次に、上記の構成を備える倒木防止具１を用いて、植栽する樹木の倒木を防止する方法を説明する。図３は、本発明の一実施形態に係る植栽樹木の倒木防止方法を説明するための概略工程図である。まず、図３（ａ）に示すように、植栽エリアの地面１０を掘削して植栽穴１２を形成した後、植栽穴１２の底部に、縦材２が鉛直方向となるように倒木防止具１を配置する。防災林を植栽する場合のように、広い植栽エリアに多数の樹木を植栽する場合には、これに合わせて大きな植栽穴１２を形成し、複数の倒木防止具１を近接させて配置することが好ましい。倒木防止具１の大きさは特に限定されないが、例えば、各辺が１ｍ程度の立方体状とすることができる。倒木防止具１を複数配置する場合には、各倒木防止具１を互いに密着させるようにしてもよい。複数の倒木防止具１を使用する場合、隣接する倒木防止具１同士を連結部材により互いに連結して、一体化することが好ましい。これにより、後述する樹木の根が生長して各倒木防止具１と係合する前であっても、複数の倒木防止具１による広範囲の地盤強化を確実に行うことができる。連結部材は、特に限定されないが、例えば、直径が２．６ｍｍ以上のナマシ番線を好適に使用することができる。
【００１８】
ついで、図３（ｂ）に示すように、上部にフック状の係止部２２を有する杭部材２０を植栽穴１２の底部に複数打ち込んで、それぞれの係止部２２を倒木防止具１の保持体４に係止させることにより、倒木防止具１を植栽穴１２の底部の地面に固定する。杭部材２０は、例えば鉄筋等からなり、倒木防止具１を確実に固定できるように、植栽穴１２の底部から例えば０．５〜２．５ｍ程度の深さで土壌内に打ち込むことが好ましい。
【００１９】
次に、図３（ｃ）に示すように、倒木防止具１を掘削土や改良土等の土２４で埋設した後、倒木防止具１の上方に樹木３０の苗木を植栽する。植栽した樹木３０は、生長に伴い根３２が水分や養分を求めて土壌内に拡がるように伸びるため、図４に示すように、倒木防止具１の保持体４の内部や上下の保持体４，４の間に樹木３０の根３２を通過させて、保持体４に絡ませることができる。本実施形態のように、複数の倒木防止具１を近接させて配置した場合、樹木３０の根は、直下に配置された倒木防止具１に係合するだけでなく、これと隣接する倒木防止具１にも係合する。保持体４は、環状に形成されて十分な強度を有しており、各支持部３に固定支持されることにより、保持体４に係合した根を確実に保持することができる。樹木３０の植栽は、倒木防止具１の直上であることが好ましいが、倒木防止具１の近傍であればよく、倒木防止具１の斜め上方や左右に樹木３０を植栽してもよい。
【００２０】
このように、倒木防止具１を、苗木の根の生長に伴い係合するように土壌に埋設することにより、樹木３０の根系の主として先端側を倒木防止具１に絡ませることができるので、生長あるいは分岐した多数の根（例えば、水平根や垂下根等）を、倒木防止具１により保持して樹木３０を強固に支持して、倒木を確実に防止することができる。また、土砂災害や河川の浸食等が生じた場合でも、倒木防止具１の内部に土壌が保持され易いために地盤強化の役割を果たすため、これによっても倒木の防止を図ることができる。
【００２１】
地面１０から倒木防止具１の上側の保持体４までの深さは、大きすぎると、地表に沿って伸びる水平根が保持体４に係合し難くなる一方、小さすぎると、土壌表面の浸食等により倒木防止具１が露出し易くなることから、例えば３０ｃｍ程度であることが好ましく、倒木防止具１の大部分が３０〜１３０ｃｍ程度の深さに配置されることが好ましい。植栽する樹木３０の種類は、特に限定されないが、根３２の強度および深さ方向への広がりが大きい樹木３０であることが好ましく、例えば、シラカシ、スダジイ、タブノキ、ヤブツバキ、マサキのような広葉樹等を挙げることができ、倒木防止具１を、防風林や防潮林等の防災林（防風林、防潮林、防砂林、防火林等）の倒木防止に好適に使用することができる。複数の樹木３０を植栽する場合、同種の樹木３０であってもよいが、根系の異なる複数種類の樹木３０であることが好ましい。樹木３０が単体であっても、倒木防止具１による良好な補強効果を得ることができるが、複数の樹木３０を連結して使用することで、防災林としての機能をより確実に発揮させることができる。植栽する樹木３０は、その土地本来に生息する在来種であることが好ましい。植栽する樹木３０の種類は、スギ・ヒノキ・カラマツのような針葉樹であってもよく、倒木防止具１を、例えば、同種の植栽が多い人工林に使用することもできる。
【００２２】
以上、本発明の一実施形態について詳述したが、本発明の具体的な態様は上記実施形態に限定されない。例えば、本実施形態においては、倒木防止具１を全体として立方体状に形成しているが、その形状は特に限定されるものではなく、樹木を列状に植栽する場合には、列方向に長い直方体状としてもよい。
【００２３】
また、本実施形態においては、保持体４を支持する支持部を構成する縦材２の数をそれぞれ４つとしているが、環状の保持体４を支持できるように３つ以上であればよい。例えば、保持体４が三角形以上の多角形状である場合には、多角形状の各頂部にそれぞれ縦材２を配置することが好ましい。また、保持体４が円形状や楕円状の場合には、保持体４の周方向に沿って等間隔に適宜の数の縦材２を配置することが好ましい。
【００２４】
また、本実施形態においては、２つの保持体４を縦材２に沿って間隔をあけて配置することで、両者の間に樹木３０の根３２を通過させることができ、それぞれの保持体４が異なる深さ位置に延びる根と係合するため、樹木３０を確実に支持することができる。保持体４の数は３つ以上であってもよく、植栽する樹木３０の根３２の太さや、根３２が生長する深さ等を考慮して、保持体４の数や間隔を適宜設定することが好ましい。
【００２５】
また、保持体４を支持する支持部は、本実施形態のように直棒状の縦材２以外によって形成することも可能である。例えば、図５および図６にそれぞれ側面図および平面図で示すように、Ｕ字状の湾曲部材４０の両側で互いに平行に延びる両側部をそれぞれ支持部４２，４２として、倒木防止具１を構成することもできる。図５および図６に示す倒木防止具１は、４つの湾曲部材４０を互いに平行に等間隔で配置すると共に、これらと直交するように他の４つの湾曲部材４０を互いに平行に等間隔で配置することにより、８つの湾曲部材４０から１６個の支持部４２が構成されている。このように、支持部４２を、複数のＵ字状湾曲部材４０の両側部により構成することで、倒木防止具１の強度を確保して、樹木をより確実に支持することができる。湾曲部材４０は、枠状に形成された部材の一部であってもよい。
【００２６】
各支持部４２には、平面視正方形状の環状体からなる保持体４が３つ支持されている。各保持体４の上部には、それぞれ補助体５０が支持されている。補助体５０は、平面視長方形状の環状体からなり、保持体４の内側に配置されるように（すなわち、平面視において保持体４の外方にはみ出さないように）、補助体５０の環状内部の開口面積が、保持体４の環状内部の開口面積よりも小さく形成されている。補助体５０は、図１等に示す構成と同様に結束具（図５および図６においては図示せず）を用いて、支持部４２および保持体４の双方に固定されている。
【００２７】
図５および図６に示す倒木防止具１によれば、保持体４の他に補助体５０を備えることによって、生長した樹木の根が倒木防止具１に絡み易くなるため、樹木をより確実に支持することができる。各補助体５０は、上下に隣接するもの同士で平面視における長方形の向きが互いに相違しており、これによって、樹木の根を上下の補助体５０で支持し易くすることができる。倒木防止具１が大型化するにつれて、保持体４の上下に配置する補助体５０の数を更に増やしてもよく、倒木防止具１の高密度化を図ると共に土壌との接触面積を増加させて、地盤強化および倒木防止の効果を高めることができる。補助体は、環状のもの以外にスパイラル状のものであってもよく、図７に示すように、環状の補助体５０およびスパイラル状の補助体５２を、保持体４の内側に（すなわち、平面視において全体またはその主要部が保持体４の外方にはみ出さないように）配置して、倒木防止具１を構成することもできる。
【００２８】
本実施形態の倒木防止具１の設置個所は、図３に示すような植栽穴１２の底部の地面に限定されるものではなく、地盤面（ＧＬライン）等であってもよい。例えば、図１等に示す倒木防止具１を、図８に示すように杭部材２０により地表面（地面）１０に固定し、盛土２６を形成して土壌内に埋設した後、倒木防止具１の上方や左右に樹木３０を植栽してもよい。このような倒木防止方法は、例えば、地盤の嵩上工事、河川の護岸工事、生育地盤造成工事等を行う際に、同時に行うことができる。
【００２９】
本発明の倒木防止具を盛土の法面に埋設する場合、図９に示す構成の倒木防止具１’を好適に使用することができる。この倒木防止具１’は、互いに大きさが相違する矩形枠状の２つの保持体４ａ，４ｂが、上下に間隔をあけて平行に配置されており、２つの保持体４ａ，４ｂは、これと直交する３つの枠状部材４０ａ，４０ｂ，４０ｃの支持部４２ａ，４２ｂ，４２ｃによって支持されている。更に、２つの保持体４ａ，４ｂには、内側から支持するように三角環状の補助体４４および矩形環状の補助体４６が挿通されている。三角環状の補助体４４は、直角三角形状に形成されて、保持体４ａ，４ｂおよび枠状部材４０ａ，４０ｂ，４０ｃの双方と直交するように配置されている。また、矩形環状の補助体４６は、保持体４ａ，４ｂに対して傾斜するように配置されている。三角環状の補助体４４は、下方に突出する挿入部４４ａを備えており、倒木防止具１’を地面に固定する際に、挿入部４４ａを地面に挿入して倒木防止具１’の姿勢を安定させることにより、その後の杭部材２０の打ち付けによる固定を容易に行うことができる。
【００３０】
図９に示す倒木防止具１’は、各保持体４ａ，４ｂの大きさが互いに相違することにより、図１０に示すように、小さい方の保持体４ａが上方となるように杭部材２０により地表面（地面）１０に固定した後、倒木防止具１’を盛土２６で埋設する際に、盛土２６の法面２６ａ，２６ｂの傾斜に沿って各保持体４ａ，４ｂを容易に配置することができるので、盛土２６の地盤強化を図ると共に、法面２６ａ，２６ｂに植栽した樹木３０の倒木を確実に防止することができる。倒木防止具１’が備える保持体４ａ，４ｂは、本実施形態では２つとしているが、３つ以上の保持体を大きさが段階的に変化するように配置してもよい。
【００３１】
図１０に示す倒木防止具１’の配置は、盛土２６の左右双方の法面２６ａ，２６ｂとしているが、いずれか一方のみであってもよい。また、図９に示す倒木防止具１’を、図１等に示す倒木防止具１と組み合わせて適宜連結することにより、例えば、図１１に示す状態で使用することもできる。
【００３２】
図９に示す倒木防止具１’は、図１２に示すように、盛土２６と土留材２７との間に埋設することも可能である。すなわち、図９に示す倒木防止具１’を上下反転させた形状の倒木防止具１’を、盛土２６の法面２６ａに沿って配置し、杭部材２０により地面１０に固定した後、法面２６ａと土留材２７との間に供給した補充土２８によって倒木防止具１’を埋設する。ついで、倒木防止具１’の近傍に樹木３０を植栽する。図１２に示す倒木防止方法によれば、盛土２６を補強して土砂崩れを確実に防止することができる。
【符号の説明】
【００３３】
１  倒木防止具
２  縦材（支持部）
４  保持体
３０  樹木
３２  根
４０  湾曲部材
４２  支持部
４４，４６  補助体
５０，５２  補助体
【図１】
0006556386.tif 000002
【図２】
0006556386.tif 000003
【図３】
0006556386.tif 000004
【図４】
0006556386.tif 000005
【図５】
0006556386.tif 000006
【図６】
0006556386.tif 000007
【図７】
0006556386.tif 000008
【図８】
0006556386.tif 000009
【図９】
0006556386.tif 000010
【図１０】
0006556386.tif 000011
【図１１】
0006556386.tif 000012
【図１２】
0006556386.tif 000013